(57)【特許請求の範囲】
【請求項１】
複数のジョイント単位体（ｊ）の端部相互をネジ結合して成り、前記ジョイント単位体（ｊ）は、フェースプレート（1a）とウエブプレート（1b）とから成るジョイント主体（１）（１）と、前記ジョイント主体（１）（１）相互間に掛け渡す態様で接着された弾性の止水材（２）とを具備し、前記ジョイント主体（１）は橋梁（Ｈ）（Ｈ）の対向端上部にそれぞれアンカー止めされるようにして設置される橋梁用伸縮継手において、前記ジョイント単位体（ｊ）の端部相互の螺子結合は、各ウエブプレート（1b）の外面側に溶接されたネジ止め板（10）を介して行われるようにしてあり、ジョイント単位体（ｊ）に外力が作用していない状態において、止水材（２）の端面は、ジョイント主体（１）（１）相互がネジ結合される端部側の端面から台形状又は円弧状に突出するものとしてあり、ジョイント単位体（ｊ）（ｊ）の端部相互をネジ結合した状態では止水材（２）（２）の端面相互が圧接状態となっていることを特徴とする橋梁用伸縮継手。
【請求項２】
止水材（２）は、ウエブプレート（1b）の端部を覆うものとしてあることを特徴とする請求項１記載の橋梁用伸縮継手。
【発明の詳細な説明】
【０００１】
【発明の属する技術分野】
この発明は、橋梁用伸縮継手に関するものである。
【０００２】
【従来の技術】
橋梁用伸縮継手としては、例えば図６や図７に示すように、所謂フィンガージョイントよりも少し簡素化された構造の簡易鋼製ジョイント（仮称）があり、この簡易鋼製ジョイントは、複数のジョイント単位体ｊの端部相互をボルトＢ及びナットＮ等により結合して構成されている。
【０００３】
前記ジョイント単位体ｊは、図６や図７に示すように、フェースプレート9aとウエブプレート9bとから成るジョイント主体９，９と、前記ジョイント主体９，９相互間に掛け渡す態様で接着された弾性の止水材８と、前記ジョイント主体９の端部に面一に固着されたネジ止め板90とから構成されており、前記ジョイント主体９は橋梁Ｈ，Ｈの対向端上部にそれぞれアンカー止めされる。なお、上記フェースプレート9a，9aの対向する部分は凹凸状に形成してあり、一方のフェースプレート9aの凸部が他方のフェースプレート9aの凹部に隙間を開けて嵌まり込むように配置してある。
【０００４】
したがって、自動車のタイヤがフェースプレート9a，9a間に大きくはまり込むようなことはなく、また、比較的大きな橋梁Ｈ，Ｈ相互の接近・離反を吸収できる。
【０００５】
しかしながら、上記従来の簡易鋼製ジョイントでは、止水材８があるにもかかわらず、漏水するという問題があった。その理由は以下の▲１▼▲２▼の通りである。
▲１▼  簡易鋼製ジョイントに外力が作用しない状態においては図８に示すようにジョイント主体９の端面と止水材８の端面とが面一に設定してあることから、橋梁Ｈ，Ｈ相互が離反して簡易鋼製ジョイントが拡張した状態では図９に示すように、止水材８，８の接続部に隙間Ｇができ、その結果この隙間Ｇから漏水するのである。
▲２▼  突き合わせてネジ結合されたジョイント単位体ｊ，ｊのジョイント主体９，９の端面相互は鋼材どおしの接触であるからシール性はなく、その結果、ジョイント主体９，９の端面相互の突き合わせ部分から漏水するのである。
【０００６】
【発明が解決しようとする課題】
そこで、この発明では、ジョイント単位体相互の突き合わせ部分からの漏水がほとんど無い橋梁用伸縮継手を提供することを課題とする。
【０００７】
【課題を解決するための手段】
（請求項１記載の発明）
この発明の橋梁用伸縮継手は、複数のジョイント単位体ｊの端部相互をネジ結合して成り、前記ジョイント単位体ｊは、フェースプレート1aとウエブプレート1bとから成るジョイント主体１，１と、前記ジョイント主体１，１相互間に掛け渡す態様で接着された弾性の止水材２とを具備し、前記ジョイント主体１は橋梁Ｈ，Ｈの対向端上部にそれぞれアンカー止めされるようにして設置される橋梁用伸縮継手において、前記ジョイント単位体ｊの端部相互の螺子結合は、各ウエブプレート1bの外面側に溶接されたネジ止め板10を介して行われるようにしてあり、ジョイント単位体ｊに外力が作用していない状態において、止水材２の端面は、ジョイント主体１，１相互がネジ結合される端部側の端面から台形状又は円弧状に突出するものとしてあり、ジョイント単位体ｊ，ｊの端部相互をネジ結合した状態では止水材２，２の端面相互が圧接状態となっている。
（請求項２記載の発明）
この発明の橋梁用伸縮継手は、上記請求項１記載の発明に関し、止水材２は、ウエブプレート1bの端部を覆うものとしてある。
【０００８】
なお、上記した発明の橋梁用伸縮継手の機能については以下の発明の実施の形態の欄で説明する。
【０００９】
【発明の実施の形態】
以下、この発明を実施形態として示した図面に従って説明する。
（実施形態１）
図１はこの発明の実施形態の橋梁用伸縮継手Ｊを橋梁Ｈ，Ｈ相互間に設置した状態を示す一部断面図であり、図２は前記橋梁用伸縮継手Ｊを構成するジョイント単位体ｊを示す斜視図である。
【００１０】
この実施形態では、橋梁用伸縮継手Ｊは１８００ｍｍの長さのジョイント単位体ｊを二本ネジ結合（ボルトＢ、ナットＮ及びワッシャＷによる）したものを現場施工するものとしてある。
【００１１】
ジョイント単位体ｊは、図１や図２に示すように、隣合う橋梁Ｈ，Ｈの対向面上部にそれぞれアンカー止めされたジョイント主体１と、前記ジョイント主体１，１相互間に架設される態様で接着された止水材２と、前記ジョイント主体１に溶接されたネジ止め板10とから構成されている。
【００１２】
ジョイント主体１は、鋼材により構成されており図１や図２に示すように、基本的にはフェースプレート1aとウエブプレート1bとから形成されている。
【００１３】
フェースプレート1aは、図１や図２に示すように、対向面と成る側に凹凸が形成されており、対向するフェースプレート1a，1a相互において一方のフェースプレート1aの凸部11が他方のフェースプレート1aの凹部12に間隙を設けて嵌まり込むようになっている。
【００１４】
ウエブプレート1bは、図１や図２に示すように、フェースプレート1aに対して直角方向に一体形成されており、対向面と成る側には凸条13を設けてある。
【００１５】
止水材２は、図１や図２に示すように、ジョイント主体１，１の間に形成された部分は断面横コ字状に形成されており、また、図２や図３に示すようにジョイント主体１の端面から台形状に突出（突出部を符号20で示す）していると共にウエブプレート1bの端部を覆うものとしてある。なお、突出部20としては、図４に示すような半径の大きい円弧状、図５に示すような薄板状でもよいが、前記台形状のものも含めて橋梁Ｈ，Ｈの最大離反に伴う変位分以上の張出量としておくことが必要である。また、この止水材２の主成分はポリブタジエンとしたエラストマーにより構成されており、その硬度はＣ型硬度計による測定（ＡＳＫＥＲ−Ｃ）で８±５度としてある。
【００１６】
ネジ止め板10は、図１や図２に示すように、ボルト挿通孔ｈを有する厚肉板により形成されており、ウエブプレート1bにおける止水材２の配設位置とほぼ同一の高さであって、ウエブプレート1bの端面と面一に設けてある。
【００１７】
ジョイント単位体ｊは上記のような構成であるから、ジョイント単位体ｊを結合した状態では突出部20, 20相互は圧接状態となっており、橋梁Ｈ，Ｈ相互が離反して拡張した状態においても突出部20, 20相互の圧接状態は維持されている。したがって、止水材８，８の接続部において隙間は存在せず、ジョイント単位体ｊ，ｊ相互の突き合わせ部分から漏水することはない。また、前記状態において、ジョイント単位体ｊ，ｊにおけるジョイント主体１，１の端面相互間には止水材２が介在されているからこの部分についてもシール性を有しており、その結果、ジョイント主体９，９の端面相互の突き合わせ部分から漏水するようなことはない。つまり、この橋梁用伸縮継手では、ジョイント単位体ｊ，ｊ相互の突き合わせ部分からの漏水はほとんど無いことが明らかである。
【００１８】
なお、上記実施形態では、橋梁用伸縮継手Ｊは１８００ｍｍの長さのジョイント単位体ｊを二本結合したものとしてあるが、ジョイント単位体ｊの長さ及び本数はこれに限定されるものではない。
【００１９】
【発明の効果】
この発明は上記のような構成であるから次の効果を有する。
【００２０】
発明の実施の形態の欄から明らかなように、ジョイント単位体相互の突き合わせ部分からの漏水がほとんど無い橋梁用伸縮継手を提供できた。
【図面の簡単な説明】
【図１】この発明の実施形態の橋梁用伸縮継手の一部断面図。
【図２】前記橋梁用伸縮継手を構成するジョイント単位体の斜視図。
【図３】前記ジョイント単位体において、ジョイント主体から止水材が突出した状態を示す説明図。
【図４】他の実施形態の止水材の説明図。
【図５】他の実施形態の止水材の説明図。
【図６】先行技術の橋梁用伸縮継手の一部断面図。
【図７】先行技術の橋梁用伸縮継手を構成するジョイント単位体の斜視図。
【図８】先行技術のジョイント主体の端部と止水材の端部との関係を示す位体の斜視図。
【図９】先行技術の橋梁用伸縮継手に関し、橋梁相互が離反したときのジョイント単位体の端部相互の状態を示す平面図。
【符号の説明】
Ｈ      橋梁
ｊ      ジョイント単位体
１      ジョイント主体
1a      フェースプレート
1b      ウエブプレート
２      止水材
【図１】
0003658679.tif 000002
【図２】
0003658679.tif 000003
【図３】
0003658679.tif 000004
【図４】
0003658679.tif 000005
【図５】
0003658679.tif 000006
【図６】
0003658679.tif 000007
【図７】
0003658679.tif 000008
【図８】
0003658679.tif 000009
【図９】
0003658679.tif 000010